(57)【要約】【課題】横断流ファンの吸引風速を簡単な構成で上昇させ、選別部の風選による選別効率を向上させたコンバインを提供する。【解決手段】選別部１３０が、選別部１３０の前部に配置した、流穀板１３５上からチャフシーブ１３８およびグレンシーブ１３７を通過して落下する穀粒を含んだ混合物を、一番物および二番物に風選する選別風を供給するための唐箕１３２と、この唐箕１３２の後方であって、選別部１３０の後部に配置し、上方および下方後部をファンケーシング２０１，２０２で覆設するとともに、下方後部のファンケーシング２０２前方を舌部２０３で覆設した、唐箕１３２からの選別風を吸引するための横断流ファン１４０とを備え、舌部２０３は、横断流ファン１４０の全幅にわたって形成するとともに、舌部２０３と、横断流ファン１４０の外周との隙間を拡張させる。【選択図】図９
2010063396.tif 000002
【特許請求の範囲】
【請求項１】
穀稈を刈り取る刈取部と、該刈取部で刈り取った穀稈を脱穀する脱穀部と、該脱穀部で脱穀した穀粒を選別する選別部とを備え、
前記選別部は、該選別部の前部に配置した、流穀板上からチャフシーブおよびグレンシーブを通過して落下する穀粒を含んだ混合物を、一番物および二番物に風選する選別風を供給するための唐箕と、
該唐箕の後方であって、前記選別部の後部に配置し、上方および下方後部をファンケーシングで覆設するとともに、前記下方後部のファンケーシング前方を舌部で覆設した、前記唐箕からの選別風を吸引するための横断流ファンとを備えるコンバインにおいて、
前記舌部は、前記横断流ファンの全幅にわたって形成するとともに、前記舌部と、前記横断流ファンの外周との隙間を拡張させることを特徴とするコンバイン。
【請求項２】
前記舌部は、上方になだらかな凸状の円弧形状を有することを特徴とする、請求項１に記載のコンバイン。
【請求項３】
前記舌部は、該舌部の前部を伸縮自在に備えることを特徴とする、請求項１に記載のコンバイン。
【発明の詳細な説明】
【技術分野】
【０００１】
本発明は、選別部の前部に配置した、流穀板上からチャフシーブおよびグレンシーブを通過して落下する穀粒を含んだ混合物を、一番物および二番物に風選する選別風を供給するための唐箕と、この唐箕の後方であって、選別部の後部に配置し、上方および下方後部をファンケーシングで覆設するとともに、下方後部のファンケーシング前方を舌部で覆設した、唐箕からの選別風を吸引するための横断流ファンとを備えるコンバインに関し、より詳細には、舌部は、横断流ファンの全幅にわたって形成するとともに、舌部と、横断流ファンの外周との隙間を拡張させるコンバインに関する。
【背景技術】
【０００２】
従来のコンバインには、機体前端部の刈取部で刈り取った穀稈が脱穀部で脱穀され、該脱穀部の下方に配置される選別部の流穀板からチャフシーブおよびグレンシーブに落下した穀粒や未熟穀粒、藁屑などの混合物を唐箕の風力により風選した際、未熟穀粒や藁屑、風選時に発生した塵芥などは、唐箕の後方であって、選別部の後部に配置した横断流ファンにより吸引し、機外へ排出させる（例えば、特許文献１）ものがある。
また、排塵ファン（横断流ファン）下方に、選別風による混合物の排塵口からの排出を防止するための遮蔽部材を備え、この遮蔽部材の上端部を回動支点として、唐箕からの選別風の風量に応じて遮蔽部材の下部を機体前後方向に回動させることで、例えば、唐箕の風量が減少すると、遮蔽部材を閉じて、混合物中の穀粒を遮蔽部材に衝突させて揺動選別装置に導き、穀粒の３番ロスを防ぐもの（例えば、特許文献２）もある。
【０００３】
【特許文献１】特開２００６−３４５８０２号公報
【特許文献２】特開２００８−１７７０８号公報
【発明の開示】
【発明が解決しようとする課題】
【０００４】
しかし、特許文献１のようなコンバインでは、横断流ファンの上方および下方後部をファンケーシングで覆設するとともに、下方後部のファンケーシング前方には、舌部を横断流ファンを覆うようにして固設しているため、この横断流ファンが高速回転で稼動しているにも係らず、横断流ファンによって吸引される選別風の吸引風速が低く、選別不良や粉塵滞留量の増大など選別部における選別効率が悪いという問題があった。
また、特許文献２のようなコンバインの横断流ファンでは、遮蔽部材を回動可能としているものの、上記のような舌部を備えておらず、この遮蔽部材は、特許文献１における横断流ファンの下方後部のファンケーシングに相当し、遮蔽部材を回動させても横断流ファンによる選別風の吸引風速は上昇せず、上記同様の問題が生じていた。
さらには、横断流ファンによる吸引気流が直線状に形成された舌部に接触し、舌部から横断流ファンに向って反射して吸引風路を塞ぎ、円滑な気流の流れを妨げて、選別風の吸引風速や排出効率を低下させるなどの問題もあった。
そこで、この発明の目的は、横断流ファンの吸引風速を簡単な構成で上昇させ、選別部の風選による選別効率を向上させたコンバインを提供することにある。
【課題を解決するための手段】
【０００５】
このため、請求項１に記載の発明は、穀稈を刈り取る刈取部と、該刈取部で刈り取った穀稈を脱穀する脱穀部と、該脱穀部で脱穀した穀粒を選別する選別部とを備え、前記選別部は、該選別部の前部に配置した、流穀板上からチャフシーブおよびグレンシーブを通過して落下する穀粒を含んだ混合物を、一番物および二番物に風選する選別風を供給するための唐箕と、該唐箕の後方であって、前記選別部の後部に配置し、上方および下方後部をファンケーシングで覆設するとともに、前記下方後部のファンケーシング前方を舌部で覆設した、前記唐箕からの選別風を吸引するための横断流ファンとを備えるコンバインにおいて、前記舌部は、前記横断流ファンの全幅にわたって形成するとともに、前記舌部と、前記横断流ファンの外周との隙間を拡張させることを特徴とする。
【０００６】
請求項２に記載の発明は、請求項１に記載のコンバインにおいて、前記舌部は、上方になだらかな凸状の円弧形状を有することを特徴とする。
【０００７】
請求項３に記載の発明は、請求項１に記載のコンバインにおいて、前記舌部は、該舌部の前部を伸縮自在に備えることを特徴とする。
【発明の効果】
【０００８】
請求項１に記載の発明によれば、穀稈を刈り取る刈取部と、この刈取部で刈り取った穀稈を脱穀する脱穀部と、この脱穀部で脱穀した穀粒を選別する選別部とを備え、選別部は、この選別部の前部に配置した、流穀板上からチャフシーブおよびグレンシーブを通過して落下する穀粒を含んだ混合物を、一番物および二番物に風選する選別風を供給するための唐箕と、この唐箕の後方であって、選別部の後部に配置し、上方および下方後部をファンケーシングで覆設するとともに、下方後部のファンケーシング前方を舌部で覆設した、唐箕からの選別風を吸引するための横断流ファンとを備えるコンバインにおいて、舌部は、横断流ファンの全幅にわたって形成するとともに、舌部と、横断流ファンの外周との隙間を拡張させるので、この舌部を横断流ファンに対して開いたときに、横断流ファンの吸引風速を上昇させることができ、かつ舌部を横断流ファンの全幅にわたり回動させるため、より横断流ファンの吸引風速を上昇させることができる。その結果、横断流ファンの高速回転に応じた速い吸引風速により、選別部での混合物の選別量が多い場合に、効率的に風選別できるとともに、発生する粉塵などを確実に吸引除去することができる。従って、横断流ファンの吸引風速を簡単な構成で上昇させ、選別部の風選による選別効率を向上させたコンバインを提供することができる。
【０００９】
請求項２に記載の発明によれば、舌部は、上方になだらかな凸状の円弧形状を有するので、横断流ファンによって吸引される気流が、舌部の円弧に沿って、横断流ファンと、舌部との間を円滑に流れ、選別風の吸引風速や排出効率を向上させることができる。従って、横断流ファンの吸引風速を簡単な構成で上昇させ、選別部の風選による選別効率を向上させたコンバインを提供することができる。
【００１０】
請求項３に記載の発明によれば、舌部は、この舌部の前部を伸縮自在に備えるので、舌部を開いて吸引風速を上昇させた際、ストローラック上から上方に飛散した三番物を、延伸させた舌部に衝突させて、三番物の機外排出による回収ロスを防止することができる。従って、選別部の風選による選別効率を向上させたコンバインを提供することができる。
【発明を実施するための最良の形態】
【００１１】
以下図面を参照しつつ本発明を実施するための最良の形態について説明する。
図１はこの発明の一例としての自脱型コンバインの右側面図、図２は図１のコンバインの左側面構成図、図３は穀稈搬送装置の側面図、図４は脱穀部および選別部の左側面模式図、図５はエンジンから排出オーガまでの動力伝達経路を示す模式図である。
【００１２】
まず、符号１は左右一対の走行クローラ２を装設する左右一対のトラックフレーム、符号３は前記左右トラックフレーム１に架設する機台、符号４はフィードチェーン４９を左側に張架し扱胴６及び処理胴を内蔵している脱穀機である脱穀部、符号７は引起機構８及び刈刃９及び収穫物搬送手段１０などを備える刈取部、符号１３は排藁チェーン終端を臨ませる排藁処理部、符号１５は脱穀部４からの籾を揚穀筒を介して搬入するグレンタンク、符号１７はグレンタンク１５の籾を機外に搬出する排出オーガ、符号１９は運転操作ハンドル、符号２０は運転席、符号２１は運転席２０下方に設けるエンジンであり、これらにより自脱型のコンバイン３０が連続的に稲などの農作物を刈取って脱穀するように構成されている。
【００１３】
機台３の後部には、グレンタンク１５内の籾を外部へ排出するための排出オーガ１７の縦オーガ２３が立設されており、縦オーガ２３を中心としてグレンタンク１５が左右回動可能に設けられて、グレンタンク１５の前側を外方に回転させて開放可能に構成されている。さらに、機台３後部には、脱穀部４に連続して穀稈搬送装置４０が内設されている。
【００１４】
刈り取られた穀稈は、収穫物搬送手段１０にて後部へ搬送され、収穫物搬送手段１０の上端から株元側が穀稈搬送装置のフィードチェーン４９に受け継がれ、扱胴供給始端部を介して脱穀部４および選別部１３０からなる脱穀装置内に穀稈が搬送される。そして、フィードチェーン４９後端には排藁搬送チェーンを備える排藁搬送装置５０が配設され、排藁搬送チェーン後部下方にはカッター，結束機等からなる排藁処理部が形成され、排藁を切断して藁片にした後、拡散しながら圃場に均一放出し、或いは切断せずに放出するようにしている。
【００１５】
脱穀部４は、コンバイン３０の進行方向左側に配置され、脱穀部４の右側には選別後の精粒を貯留するグレンタンク１５が配設されている。そして、グレンタンク１５の前方には運転席２０が配設されている。つまり、運転席２０は機体の進行方向右前方に配置されている。一方、グレンタンク１５の後方には排出オーガ１７の縦オーガ２３が立設され、縦オーガ２３を中心にして排出オーガ１７及びグレンタンク１５が側方へ回動可能とし、グレンタンク１５を側方へ回動することにより機体内側に配置した駆動系や油圧系のメンテナンスを容易にしている。
【００１６】
そして、グレンタンク１５の底部には排出コンベアが前後方向に配設され、排出コンベア１６の後部が縦オーガ２３の下部に連通されるとともに、排出コンベア１６後部から排出オーガ１７に動力が伝達されて、排出オーガ１７先端よりトラック等へグレンタンク１５内の穀粒を排出できるようにしている。更に、脱穀部４の下方には、選別部１３０が配設され、脱穀部４から流下する穀粒や藁屑等から穀粒を選別し、精粒をグレンタンク１５に搬送したり、藁屑等を機外に排出したりグレンタンク１５に搬送するようにしている。
【００１７】
図３には、穀稈搬送装置４０付近の左側面図を示す。穀稈搬送装置４０は、上述の脱穀部４において、刈り取った穀稈の一端（株元側）を挟扼しながら搬送するためのものであり、刈取部７で刈り取った穀稈を排藁搬送装置の排藁搬送チェーン５１まで搬送するフィードチェーン４９と、フィードチェーン４９上方に配設され、搬送されている穀稈を挟扼する挟扼杆４１と、挟扼杆４１を本機側に対して弾性支持する複数の弾性支持体４２等とから構成されている。
【００１８】
この穀稈搬送装置４０においては、対向配置される挟扼杆４１とフィードチェーン４９とによって、刈取部７で刈り取った穀稈の株元側を挟扼し、扱室内の扱胴６によって脱穀する構成となっており、この挟扼杆４１とフィードチェーン４９とが対向した部分を搬送経路としている。そして、脱穀部４にて脱粒された排藁は、フィードチェーン４９の後端部（下流側端部）において、排藁搬送装置の排藁搬送チェーン５１へと受け継がれ、この排藁搬送チェーン５１によって排藁処理部１３へと搬送される。
【００１９】
挟扼杆４１は、扱室カバー４ａの機体進行方向左側端部においてステー４３等によって固設される支持杆４４と、支持杆４４に複数の弾性支持体４２を介して弾性支持されて設けられている。この挟扼杆４１は、フィードチェーン４９に沿うように左右平行状に一対の板状部材が配置された形状となっており、フィードチェーン４９による搬送方向断面視逆Ｕ字状に形成されている。
【００２０】
支持杆４４は、中空の柱状部材であり、扱室カバー４ａ内左側において前後方向に長く、挟扼杆４１と並列的に配置されるように形成されている。そして、この支持杆４４の側面には一定間隔ごとに弾性支持体４２がその上部が支持されるとともに配設され、これら弾性支持体４２の下部に挟扼杆４１が弾性支持されている。この弾性支持体４２の下部は、挟扼杆４１に連結ピンで枢支されており、弾性支持体４２の上部は支持杆４４よりも上方に延出されている。
【００２１】
次に、脱穀部４について説明する。図４に示すように、脱穀部４に形成された扱室１２１には、機体の前後方向に軸架された略円柱形状の扱胴６が設けられ、扱胴６の外周面には複数の扱歯１２２ａが植設されている。そして、扱胴６の下部周辺を覆うように半円形状の受網１２３が着脱可能に周設されている。一方、フィードチェーン４９により、穀桿の株元側が拘束されつつ、穀桿の先端側が扱胴６の下方に挿入されて穀稈が機体後方に搬送される。このとき、扱胴６の回転により脱粒が行われ、受網１２３から穀粒や藁屑等が漏下するようにしている。
【００２２】
続いて、選別部１３０について説明する。選別部１３０は、揺動選別装置１３１による揺動選別と唐箕１３２による風選別とが行われ、一番物と二番物と藁屑等に分別される。
【００２３】
揺動選別装置１３１は、機枠１３３内に収納される。揺動選別装置１３１の前端部は扱胴６の前端部の下方まで延出され、揺動選別装置１３１前下部には図示せぬ揺動軸が設けられるとともに、後部には揺動駆動機構１３４が設けられ、揺動駆動機構１３４によって揺動選別装置１３１が機枠１３３に対して揺動するように構成されている。なお、揺動駆動機構１３４の後下方には燃料タンク（不図示）が配置されている。
【００２４】
揺動選別装置１３１の前部には、流穀板１３５が設けられるとともに、流穀板１３５の後下方に搬送板１３６が設けられる。これら流穀板１３５および搬送板１３６は、板状の部材を波形に成形したものであり、受網１２３を通過した処理物（穀粒および藁屑等との混合物）は、流穀板１３５および搬送板１３６上に落下し、揺動選別装置１３１の揺動により機体後方に搬送される。そして、搬送板１３６後部には、第二選別部である網状のグレンシーブ１３７が連設されるとともに、グレンシーブ１３７と搬送板１３６の上方、かつ流穀板１３５の後方には、第一選別部であるチャフシーブ１３８が被装されている。さらに、チャフシーブ１３８の後方には、ストローラック１３９が配設される。
【００２５】
チャフシーブ１３８は、複数のチャフフィンから構成され、投入される処理物の量に応じてチャフフィンの開度を調節することを可能としている。すなわち、チャフフィンの上下一側端部が揺動選別装置１３１に枢支されて、チャフシーブ１３８左右両側に設けられた揺動板に枢結され、また、他側端部がチャフシーブ１３８左右両側に設けられた摺動板に枢結されている。この摺動板は、揺動選別装置１３１と一体的に揺動されるとともに、摺動板には調節レバーが枢結されており、この調節レバーに連結されたワイヤの弛緩又は牽引により摺動板が前後に摺動される。なお、調節レバーは、ワイヤと反対側に設けられたバネによって各チャフフィンの傾斜角を小（寝かせる）とする方向に付勢されている。
【００２６】
そして、摺動板の摺動によりチャフフィンの角度が変更され、チャフフィンの傾斜角を大（立てる）とさせるとき、チャフシーブ１３８の開度を大として穀粒の漏下量を増大させ、各チャフフィンの傾斜角を小（寝かせる）とさせるときチャフシーブ１３８の開度を小として穀粒の漏下量を減少させるように構成している。
【００２７】
こうして、穀粒および細かい藁屑はチャフシーブ１３８を通過して下方に落下し、チャフシーブ１３８の開口よりも大きい藁屑等は後方に搬送される。このとき、チャフシーブ１３８とグレンシーブ１３７との間には唐箕１３２により選別部１３０の前方から後方への気流が発生しており、細かい藁屑の一部は後方に吹き飛ばされて穀粒と分離される。
【００２８】
また、揺動選別装置１３１の前流穀板１３５後部下方かつ後流穀板１３６前部下方に唐箕１３２が配置され、チャフシーブ１３８やグレンシーブ１３７に選別風を送風するようにしている。
【００２９】
そして、揺動選別装置１３１の後端部近傍には吸引ファン１４０が全幅に横設され、唐箕１３２から供給される選別風の流れに乗ってきた塵埃や脱穀時に発生する塵埃等を、横断流ファン１４０により吸引して機外へと排出するようにしている。なお、後述するが、本願発明の要部である横断流ファン１４０は、ファンケーシング２０１，２０２および舌部２０３によって覆われている。
【００３０】
選別部１３０内に投入され、前流穀板１３５上に漏下された穀粒、枝梗付着粒、未熟穀粒および細かい藁屑等の混合物は、チャフシーブ１３８上に漏下される過程で唐箕１３２により発生する選別部１３０の前方から後方への気流により、細かい藁屑の一部が後方へ吹き飛ばされる。そして、チャフシーブ１３８上に漏下した穀粒、枝梗付着粒、未熟穀粒および細かい藁屑等の混合物は、揺動選別装置１３１の揺動により、後方に搬送される、このとき、穀粒、未熟穀粒、枝梗付着粒および細かい藁屑等はチャフシーブ１３８の開口部より下方に落下し、大きい藁屑はチャフシーブ１３８後方まで搬送され、ストローラック１３９を経て機外に排出される。
【００３１】
チャフシーブ１３８の開口部より下方に落下した穀粒、未熟穀粒、枝梗付着粒および細かい藁屑等は、後流穀板１３６およびグレンシーブ１３７上に漏下される。このときにも唐箕１３２からの選別風により、細かい藁屑の一部は後方に吹き飛ばされて分離される。
【００３２】
グレンシーブ１３７上に漏下された穀粒、未熟穀粒、枝梗付着粒および細かい藁屑等のうち、穀粒、未熟穀粒、細かい藁屑等は、グレンシーブ１３７を通過して下方に落下する。このとき、重量が大きい穀粒（一番）は一番回収部１４６（流穀板１４５の後方に設けられた選別部１３０底面の窪みであり、一番コンベア１４１が収容されている）に回収され、一番コンベア１４１から揚穀コンベア１４４を経て、グレンタンク１５に搬送される。
【００３３】
一方、重量が小さい未熟穀粒や細かい藁屑の一部や穂切り粒や穀粒等が混じった未処理粒は、唐箕１３２からの選別風により後方に吹き飛ばされ、二番回収部１４７（一番回収部１４６の後方に設けられた選別部１３０底面の窪みであり、二番コンベア１４２が収容されている）に回収され、二番コンベア１４２から二番還元コンベア１４８を経て、前流穀板１３５上（またはチャフシーブ１３８上）に再投入される。
【００３４】
ここで、エンジン２１からグレンタンク１５および排出オーガ１７への駆動力伝達経路について、図５を用いて説明する。エンジン２１の前方出力軸２１ａは、走行クローラ２を駆動するための走行用ミッションケースの入力軸と連結され、走行クローラ２へ駆動力を伝達する。一方、後方出力軸２１ｂには、脱穀部４や選別部１３０へ駆動力を伝達するためのプーリ６２と、グレンタンク１５および排出オーガ１７へ駆動力を伝達するためのプーリ６３とが嵌設されている。
【００３５】
プーリ６２は、カウンターケース１０８から突出する入力軸１０８ａに固設された入力プーリ１０９にＶベルト１１０を介して連結され、カウンターケース１０８の入力軸１０８ａにエンジン２１の駆動力の一部が伝達されるようにしている。こうして、エンジン２１からの動力をカウンターケース１０８を介して各処理系に伝達し、扱胴６や唐箕１３２、一番コンベア１４１、フィードチェーン４９、刈取部７の搬送装置や刈刃９等を駆動可能としている。カウンターケース１０８は各処理系へ適正速度を分配可能とするものであり、エンジン２１の左側方、且つ脱穀部４の前方に配設されている。
【００３６】
また、グレンタンク１５の底部前面はエンジン２１の略後方に位置し、グレンタンク１５の底部前壁面には駆動部となる駆動ケース６４が配設されている。そして、駆動ケース入力軸６５が駆動ケース６４から機体前方へ突出し、駆動ケース入力軸６５の前端にはプーリ６６が嵌設される。
【００３７】
後方出力軸２１ｂ後端に嵌設されたプーリ６３と、駆動ケース入力軸６５前端に嵌設されたプーリ６６とにＶベルト６７が巻回され、エンジン２１の駆動力の一部が駆動ケース６４の入力軸６５に伝達される。
【００３８】
また、プーリ６３とプーリ６６の間には、Ｖベルト６７のテンションプーリを兼ねるオーガクラッチ６８が設けられ、駆動力を駆動ケース６４より下流側へ伝達・遮断可能に構成される。
【００３９】
駆動ケース６４内には、互いに噛合する平歯車６９ａ・６９ｂが収納されており、平歯車６９ａは駆動ケース６４に軸支された前記入力軸６５の後端に外嵌固定され、平歯車６９ｂは排出コンベア１６の前端に嵌設された回転軸であるコンベア駆動軸７０に外嵌固定される。
【００４０】
排出コンベア１６の後端にはベベルギア７１が嵌設され、縦オーガ２３内のスクリュー式の縦送りコンベア７２下端に嵌設されたベベルギア７３と噛合している。一方、縦送りコンベア７２上端にはベベルギア７４が嵌設され、ベベルギア７４と噛合するベベルギア７５、チェーンやスプロケットを内設する中間ケース７６、続いてベベルギア７７・７８を経て排出オーガ１７内のスクリュー式の横送りコンベア７９を回転駆動する。
【００４１】
このように構成することにより、グレンタンク１３に貯溜された穀物は排出コンベア１６により後方に搬送され、グレンタンク１３後方に位置する縦オーガ１５ａを経て、穀粒排出オーガ１５先端から強制的に排出される。
【００４２】
次に、開閉可能な舌部を備える横断流ファンの具体的構成を説明する。図６は後方から見た横断流ファンの斜視図、図７は横断流ファンおよび横断流ファン周辺の左側面模式図、図８は舌部を拡大して示した横断流ファン下方の左側面模式図、図９は舌部の回動を示す横断流ファン下方の左側面模式図である。
【００４３】
まず、横断流ファン１４０は、図４および図６に示すように、選別部１３０の後端部であって、機体後部の選別屑排出口２００内側に配設される。この横断流ファン１４０は、左右方向に横長の形状を有しており、回転軸２０４を左右側壁２０５に軸装させて設置される。そして、横断流ファン１４０の外周面には、左右方向に複数の起風板２０６が略平行に備えられる。
【００４４】
また、図７にも示すように、横断流ファン１４０の上方には、横断流ファン１４０を上方から覆うようにして上ファンケーシング２０１と、横断流ファン１４０の後部下方にも、横断流ファン１４０を下方から覆うようにして下ファンケーシング２０２とが、それぞれ左右端部を左右側壁２０５に取付けて固設されている。なお、下ファンケーシング２０２は遮蔽板を兼ねており、選別部１３０で選別風により後方の横断流ファン１４０下方まで飛散した穀粒を含む混合物を、下ファンケーシング２０２に衝突させて、下方の揺動選別装置１３１内に導くものである。
【００４５】
次に、下ファンケーシング２０２の前方には、横断流ファン１４０の左右幅に略等しい幅を有する舌部２０３が、横断流ファン１４０を下方から覆うようにして、下ファンケーシング２０２に連設して備えられる。この舌部２０３は、上方になだらかな凸状の円弧形状を有するとともに、その前端部が横断流ファン１４０の中央近傍に位置するような前後長さを適宜有するものである。
【００４６】
さらに、この舌部２０３は、舌部２０３の後端部近傍であり、下ファンケーシング２０２との連結部近傍であって、流穀板１３５の後方、かつ流穀板１３５の延長線上近傍に回動支点軸２０７を備え、この回動支点軸２０７を左右側壁２０５に軸装させて、舌部２０３の前部が機体上下方向に回動可能とされる。なお、回動支点軸２０７の位置は図示の位置に限定されない。
【００４７】
また、例えば、左側壁２０５外側面（右側壁２０５外側面もしくは左右双方でもよい）にモータＭを設置するとともに、このモータＭの図示しないモータ軸を舌部２０３の回動支点軸２０７に連結する。そして、モータＭは、運転席２０などの図示しない舌部回動スイッチなどに連結させた構成とされる。なお、前記舌部回動スイッチは、機体側部の脱穀部４近傍などに設けてもよく、その設置位置は限定されない。
【００４８】
ここで、刈取部７で刈取った穀稈が、脱穀部４に搬送され、脱穀部４で脱穀された穀粒を含む混合物が、選別部１３０に落下した際、従来では、唐箕１３２の図示しないシャッタを全開にしても、舌部２０３が固設されていたため、横断流ファン１４０を高速回転させているにも係らず、横断流ファン１４０における唐箕１３２による選別風の吸引力に限界があり、稈屑や粉塵などを吸引除去できないなど、選別部１３０の選別効率が悪くなっていた。そこで、このような場合、横断流ファン１４０の吸引風速を上昇させるため、例えば、オペレータは、前記舌部回動スイッチを開側に操作する。
【００４９】
この舌部回動スイッチによりモータＭが駆動し、前記モータ軸を介して舌部２０３の回動支点軸２０７が、図８〜９に示すように、左側面視反時計回りに回動する。その結果、舌部２０３が回動支点軸２０７を中心として、舌部２０３の前端部が、機体下方向に下降し、舌部２０３が位置ａから位置ｂまで回動することで、舌部２０３が開けられる。なお、位置ａ，ｂ間の角度は適宜設定することができる。
【００５０】
そして、舌部２０３の回動支点軸２０７が、舌部２０３の後端部近傍に有することにより、横断流ファン１４０の底部と、舌部２０３との間の隙間面積Ａが拡張されることで、選別風の気流の変化と併せて、横断流ファン１４０の吸引風速が大幅に上昇するため、選別部１３０に有する混合物から、稈屑や粉塵などを確実に吸引除去することができ、選別部１３０の選別効率を向上させることができる。
【００５１】
また、舌部２０３の回動支点軸２０７が、流穀板１３５の後方であって、この流穀板１３５の延長線上近傍に有するため、流穀板１３５上から流穀板１３５の下方に落下して風選別された稈屑や粉塵などを、横断流ファン１４０の上昇させた吸引風速による強い吸引力で効率的に吸引することができる。さらには、舌部２０３が横断流ファン１４０の全幅にわたって回動可能に形成されているため、横断流ファン１４０の吸引風速をより一層上昇させることができる。
【００５２】
さらに、舌部２０３が、上方になだらかな凸状の円弧形状を有するので、横断流ファン１４０によって横断流ファン１４０と、舌部２０３との間に吸引された選別風の一部は、舌部２０３の円弧形状に沿って流れ、横断流ファン１４０後方の機外に排出される。このため、従来のように、直線形状を有していた舌部２０３に、選別風が衝突し、横断流ファン１４０に向けて反射することによって選別風が吸引風路を塞ぎ、吸引風速を低下させたり、吸引を妨害することがない。特に上述したような舌部２０３を開いて吸引風速を上昇させた際（舌部２０３を閉じた状態でも同様）、舌部２０３に勢いよく衝突した選別風の多くは、舌部２０３に沿って流れて、機外に排出されることから、吸引風速を向上および維持することができる。
【００５３】
なお、選別部１３０内の混合物量（穀粒量）が少なく、選別して得たい穀粒が横断流ファン１４０により吸引されて機外に除去されてしまう恐れがある場合などは、オペレータは、前記舌部回動スイッチを閉側に操作すると、モータＭが駆動し、前記モータ軸を介して舌部２０３の回動支点軸２０７が左側面視時計回りに回動する。その結果、舌部２０３が回動支点軸２０７を中心として、舌部２０３の前端部が、機体上方向に上昇し、舌部２０３が位置ｂから位置ａまで回動することで、舌部２０３が閉じられ、その結果、横断流ファン１４０の底部と、舌部２０３との間の隙間面積Ａが縮小させることにより、選別風の気流の変化と併せて、横断流ファン１４０の吸引風速が減少する。
【００５４】
また、舌部２０３の回動方法は、上述したモータＭの駆動に限定されず、リンク機構によるレバー操作などにしてもよい。図１０はリンク機構による舌部の回動を示した横断流ファン下方の左側面模式図である。この場合、この図１０に示すように、例えば、舌部２０３の回動支点軸２０７の左右方向の一端（両端でもよい）に、前後方向の一端部２０８ａを連結したアーム２０８における他端部２０８ｂの穴部などにワイヤ２０９などを接続する。従って、他端部の上下方向の回動により、一端部を介して回動支点軸２０７回動支点として舌部２０３の前部が上下方向に回動される。
【００５５】
次いで、ワイヤ２０９には、機体左側部の横断流ファン１４０近傍などに設けられた操作レバー２１０が連係される。なお、この操作レバー２１０は、運転席２０などに設けてもよく、その設置位置は限定されない。
【００５６】
ここで、上述のように、横断流ファン１４０の吸引風速を上昇させる際、オペレータは、操作レバー２１０を開側に回動させると、ワイヤ２０９がアーム２０８の他端部２０８ｂを上方に押し上げて回動させる。この結果、アーム２０８の一端部２０８ａおよび舌部２０３の回動支点軸２０７がそれぞれ回動支点となり、上述同様に舌部２０３の前部が下方に回動して舌部２０３が開けられ、横断流ファン１４０の吸引風速を上昇させることができる。
【００５７】
また、上述とは逆に、横断流ファン１４０の吸引風速を低下させる（元に戻す）場合には、オペレータは、操作レバー２１０を閉側に回動させると、ワイヤ２０９がアーム２０８の他端部２０８ｂを引っ張り下方に回動させる。この結果、アーム２０８の一端部２０８ａおよび舌部２０３の回動支点軸２０７がそれぞれ回動支点となり、上述同様に舌部２０３の前部が上方に回動して舌部２０３が閉められ、横断流ファン１４０の吸引風速を低下させることができる。
【００５８】
なお、上述した舌部２０３の回動を行なうリンク機構は、ワイヤ２０９に限定されず、適宜方法を用いることができる。
【００５９】
以上詳述したように、この例のコンバイン１は、穀稈を刈り取る刈取部７と、この刈取部７で刈り取った穀稈を脱穀する脱穀部４と、この脱穀部４で脱穀した穀粒を選別する選別部１３０とを備え、選別部１３０は、この選別部１３０の前部に配置した、流穀板１３５上からチャフシーブ１３８およびグレンシーブ１３７を通過して落下する穀粒を含んだ混合物を、一番物および二番物に風選する選別風を供給するための唐箕１３２と、この唐箕１３２の後方であって、選別部１３０の後部に配置し、上方および下方後部をファンケーシング２０１，２０２で覆設するとともに、下方後部のファンケーシング２０２前方を舌部２０３で覆設した、唐箕１３２からの選別風を吸引するための横断流ファン１４０とを備え、上方になだらかな凸状の円弧形状を有する舌部２０３は、横断流ファン１４０の全幅にわたって形成するとともに、舌部２０３を開閉自在に備えるものである。
【００６０】
なお、舌部は、下ファンケーシング２０２の前端部に固設させることもできる。図１１は下ファンケーシングの前端部に舌部を固設した横断流ファン周辺の左側面模式図である。この図１１に示すように、舌部２０３´の後端部が、下ファンケーシング２０２前端部に溶接（舌部２０３´と下ファンケーシング２０２とを一体成形してもよい）などで取付けられる。このとき、舌部２０３´は、上述したような円弧形状を有するため、下ファンケーシング２０２前端部から横断流ファン１４０に対して、前部ほど離間することになる。
【００６１】
このような構成にすることで、舌部２０３´による横断流ファン１４０の覆い面が少なくなるとともに、横断流ファン１４０による選別風の吸い込み角度が大きくなり、横断流ファン１４０の吸引風速を上昇させることができる。
【００６２】
また、舌部は、その前部を伸縮可能な構造にすることもできる。図１２は下ファンケーシングの前端部に、前部を伸縮自在とする舌部を固設した横断流ファン周辺の左側面模式図である。この図１２に示すように、下ファンケーシング２０２前端部に、図６〜１０のように回動可能に取付けられた舌部２０３´´は、外舌部２０３ａ´´と、薄い板状の内舌部２０３ｂ´´との二重構造になっており、舌部２０３´´近傍の適宜位置に設置した、運転席２０などの図示しない舌部伸縮スイッチなどに連係するモータｍの駆動により、図示しないアームなどを介して内舌部２０３ｂ´´が舌部２０３´´の前端部から伸縮自在な構成とされる。
【００６３】
このような構成により、舌部２０３´´を開いて吸引風速を上昇させた際、オペレータは前記舌部伸縮スイッチなどを操作し、舌部２０３´´の前端部であって、外舌部２０３ａ´´内から内舌部２０３ｂ´´を前方に延伸させて舌部２０３´´の全長を延ばすことにより、舌部２０３´´の下方に有するストローラック１３９上から、横断流ファン１４０の強い吸引により上方に飛散した三番物を、延伸させた内舌部２０３ｂ´´に衝突落下させて、横断流ファン１４０と、舌部２０３´´との間、および舌部２０３´´と、ストローラック１３９との間から、三番物の機外排出を防ぎ、三番物の回収ロスを防止することができる。なお、舌部２０３´´を開じた場合でも内舌部２０３ｂ´´の伸縮を適宜操作することができる。
【００６４】
以上述べたように、舌部２０３，２０３´は、選別屑排出口２００内側に配設した横断流ファン１４０の下方であって、横断流ファン１４０の全幅に備えられるが、この横断流ファン１４０は、機体後部の脱穀部４（揺動選別装置１３１）の全幅に亘って設けることもできる。図１３は機体全幅に亘って設けた横断流ファンを示す機体後部を左後方から見た斜視図、図１４は機体全幅に亘って設けた横断流ファンを示す機体後部を右後方から見た斜視図である。このような構成にすることで、選別風の吸引幅（機体左右方向）が長く、排塵の吸引効率が高くなるとともに、横断流ファン１４０のメンテナンスを容易にすることができる。
【図面の簡単な説明】
【００６５】
【図１】本発明の一例としての自脱型コンバインの右側面図である。
【図２】自脱型コンバインの左側面構成図である。
【図３】穀稈搬送装置の側面図である。
【図４】脱穀部および選別部の左側面模式図である。
【図５】エンジンから排出オーガまでの動力伝達経路を示す模式図である。
【図６】後方から見た横断流ファンの斜視図である。
【図７】横断流ファンおよび横断流ファン周辺の左側面模式図である。
【図８】舌部を拡大して示した横断流ファン下方の左側面模式図である。
【図９】舌部の回動を示す横断流ファン下方の左側面模式図である。
【図１０】リンク機構による舌部の回動を示した横断流ファン下方の左側面模式図である。
【図１１】下ファンケーシングの前端部に舌部を固設した横断流ファン周辺の左側面模式図である。
【図１２】下ファンケーシングの前端部に、前部を伸縮自在とする舌部を固設した横断流ファン周辺の左側面模式図である。
【図１３】機体全幅に亘って設けた横断流ファンを示す機体後部を左後方から見た斜視図である。
【図１４】機体全幅に亘って設けた横断流ファンを示す機体後部を右後方から見た斜視図である。
【符号の説明】
【００６６】
１３０    選別部
１３２    唐箕
１３５    流穀板
１４０    横断流ファン
２００    選別屑排出口
２０１    上ファンケーシング
２０２    下ファンケーシング
２０３    舌部
２０４    回転軸
２０５    左右側壁
２０６    起風板
２０７    回動支点軸
２０８    アーム
２０８ａ    一端部
２０８ｂ    他端部
２０９    ワイヤ
２１０    操作レバー
Ｍ，ｍ    モータ
ａ，ｂ    位置
Ａ    隙間面積
【図１】
2010063396.tif 000003
【図２】
2010063396.tif 000004
【図３】
2010063396.tif 000005
【図４】
2010063396.tif 000006
【図５】
2010063396.tif 000007
【図６】
2010063396.tif 000008
【図７】
2010063396.tif 000009
【図８】
2010063396.tif 000010
【図９】
2010063396.tif 000011
【図１０】
2010063396.tif 000012
【図１１】
2010063396.tif 000013
【図１２】
2010063396.tif 000014
【図１３】
2010063396.tif 000015
【図１４】
2010063396.tif 000016